(57)【要約】  光学機器に対する装着が容易であり、且つ装着動作が滑らかであると共に、高品位の装着状態を確実に保持できる信頼性の高いアイカップ装着機構、およびそのアイカップ装着機構を備える光学機器の提供を目的として、アイカップ装着機構のアイカップは、弾性部材で形成されたアイラバーと、アイラバーを所定位置に保持する固定部材と、固定部材により遊動可能に保持される可動部材と、可動部材を固定部材に対して押圧して、可動部材を固定部材に固定する弾性部材と、を備えており、カメラ本体に設けられた装着部材を弾性部材の押圧力に抗して固定部材と可動部材との間に嵌入して、装着部材を固定部材と可動部材とにより挟着するよう構成されている。
2020100327.tif 000002
【特許請求の範囲】
【請求項１】
カメラ本体に着脱可能なアイカップを装着するためのアイカップ装着機構であって、
前記アイカップは、
アイラバーと、
前記アイラバーを所定位置に保持する固定部材と、
前記固定部材により遊動可能に保持される可動部材と、
前記可動部材を前記固定部材に対して押圧して、前記可動部材を前記固定部材に固定する弾性部材と、を備え、
前記カメラ本体に設けられた装着部材を前記弾性部材の押圧力に抗して前記固定部材と前記可動部材との間に嵌入して、装着部材を前記固定部材と前記可動部材とにより挟着するよう構成されたアイカップ装着機構。
【請求項２】
前記可動部材は、装着部材を挟着するための可動側係合爪と、前記弾性部材の押圧力を受ける受圧部と、を含み、
前記固定部材は、装着部材を挟着するための固定側係合爪を含み、
前記可動側係合爪と前記固定側係合爪とを対向して配設し、前記弾性部材の押圧力により前記可動側係合爪が前記固定側係合爪の方向に押圧されるよう構成された、請求項１に記載のアイカップ装着機構。
【請求項３】
前記アイカップにおける内側に前記可動側係合爪が設けられ、前記アイカップにおける外側に前記受圧部が設けられた、請求項２に記載のアイカップ装着機構。
【請求項４】
前記カメラ本体に設けられた装着部材は、前記可動側係合爪と前記固定側係合爪との間に嵌入可能な装着爪を有する、請求項２または３に記載のアイカップ装着機構。
【請求項５】
前記可動側係合爪および固定側係合爪が硬質樹脂で形成された請求項２または３に記載のアイカップ装着機構。
【請求項６】
前記装着部材の一部は、前記可動側係合爪と前記固定側係合爪との間に対して直線移動により嵌入されるよう構成された、請求項２から５のいずれか一項に記載のアイカップ装着機構。
【請求項７】
前記装着部材の一部は、前記可動側係合爪と前記固定側係合爪との間に対して回動により嵌入されるよう構成された、請求項２から５のいずれか一項に記載のアイカップ装着機構。
【請求項８】
前記アイカップが前記カメラ本体に対してバヨネット方式により着脱可能に構成された、請求項１から５のいずれか一項に記載のアイカップ装着機構。
【請求項９】
前記弾性部材は、前記アイラバーと一体的に形成された、請求項１から８のいずれか一項に記載のアイカップ装着機構。
【請求項１０】
前記固定部材に一体的に構成され、複数の突起を有して前記アイラバーを係止する枠部材を備える、請求項１から９のいずれか一項に記載のアイカップ装着機構。
【請求項１１】
請求項１から１０のいずれか一項に記載のアイカップ装着機構を備える光学機器。
【発明の詳細な説明】
【技術分野】
【０００１】
本発明は、光学機器における接眼部分に着脱可能に設けられ、太陽光などの外光を遮断するアイカップの装着機構、およびそのアイカップ装着機構を備える光学機器に関する。
【背景技術】
【０００２】
光学機器、例えばカメラのファインダーの接眼部分にはアイカップが設けられている。特に、高級機種においては、接眼部分に設けられたアイカップの汚れなどを簡単に除去できるように、また撮影目的や撮影シーンに合わせてアイカップを交換できるように、着脱可能な構成が提供されている。
【先行技術文献】
【特許文献】
【０００３】
【特許文献１】特開平１１−１０９４４２号公報
【特許文献２】特開２００５−１７４０１号公報
【特許文献３】特開平４−５１１２６号公報
【発明の概要】
【発明が解決しようとする課題】
【０００４】
光学機器に装着されるアイカップは、装着が容易であり、確実に装着される構成であることは勿論のこと、例えばカメラなどにおける高級機種においては、アイカップの装着動作時の操作感および装着状態における装着感が重要な要素となる。光学機器の分野においては、精密機械であるため、アイカップの装着動作時における動きが滑らかであり、装着状態においてもがたつくことがなく確実な装着感を有して、常に高品位の装着状態を保持できる信頼性の高い光学機器が求められている。【０００５】
本発明は、光学機器に対する装着が容易であり、且つ装着動作が滑らかであると共に、高品位の装着状態を確実に保持できる信頼性の高いアイカップ装着機構、およびそのアイカップ装着機構を備える光学機器の提供を目的とするものである。
【課題を解決するための手段】
【０００６】
本発明に係る一態様のアイカップ装着機構は、
カメラ本体に着脱可能なアイカップを装着するためのアイカップ装着機構であって、
前記アイカップは、
アイラバーと、
前記アイラバーを所定位置に保持する固定部材と、
前記固定部材により遊動可能に保持される可動部材と、
前記可動部材を前記固定部材に対して押圧して、前記可動部材を前記固定部材に固定する弾性部材と、を備え、
前記カメラ本体に設けられた装着部材を前記弾性部材の押圧力に抗して前記固定部材と前記可動部材との間に嵌入して、装着部材を前記固定部材と前記可動部材とにより挟着するよう構成されている。【０００７】
本発明に係る一態様の光学機器は、カメラ本体に着脱可能なアイカップを装着するためのアイカップ装着機構を備える光学機器であって、
前記アイカップは、
アイラバーと、
前記アイラバーを所定位置に保持する固定部材と、
前記固定部材により遊動可能に保持される可動部材と、
前記可動部材を前記固定部材に対して押圧して、前記可動部材を前記固定部材に固定する弾性部材と、を備え、
前記カメラ本体に設けられた装着部材を前記弾性部材の押圧力に抗して前記固定部材と前記可動部材との間に嵌入して、装着部材を前記固定部材と前記可動部材とにより挟着するよう構成されている。
【発明の効果】
【０００８】
本発明によれば、光学機器に対する装着が容易であり、且つ装着動作が滑らかであると共に、高品位の装着状態を確実に保持できる信頼性の高いアイカップ装着機構、およびそのアイカップ装着機構を備える光学機器を提供することができる。
【図面の簡単な説明】
【０００９】
【図１】本発明に係る実施の形態１の光学機器であるカメラにおけるファインダーの近傍を示す斜視図
【図２】実施の形態１におけるアイカップを示す斜視図（（ａ）がアイカップの接眼側、（ｂ）がアイカップのレンズ側）
【図３】実施の形態１におけるアイカップの分解斜視図（アイカップの接眼側を示す）
【図４】実施の形態１におけるアイカップの分解斜視図（アイカップのレンズ側を示す）
【図５】実施の形態１におけるアイカップの断面図
【図６】実施の形態１におけるアイカップの断面図
【図７】実施の形態１におけるアイカップの断面図
【図８】実施の形態１におけるアイカップの断面図
【図９】実施の形態１におけるアイカップがカメラ本体に装着された状態を示す断面図
【図１０】本発明に係る実施の形態２におけるアイカップを示す図（接眼側の図）
【図１１】実施の形態２におけるアイカップを装着するためにカメラ本体に設けられた装着部材を示す図（接眼側の図）
【図１２】実施の形態２におけるアイカップがカメラ本体に装着された状態を示す図（接眼側の図）
【図１３】図１２に示したカメラ本体に装着したアイカップをXIII−XIII線により切断した断面図
【発明を実施するための形態】
【００１０】
以下、本発明のアイカップ装着機構を備える光学機器に係る実施の形態として、カメラについて、添付の図面を参照しながら説明する。なお、本発明の光学機器は、以下の実施の形態において説明するカメラの構成に限定されるものではなく、アイカップ装着機構を備える各種の光学機器に適用可能である。
【００１１】
また、以下の実施の形態において示す数値、形状、構成、ステップ、およびステップの順序などは、一例を示すものであり、本発明を限定するものではない。以下の実施の形態における構成要素のうち、最上位概念を示す独立請求項に記載されていない構成要素については、任意の構成要素として説明される。なお、各実施の形態においては、同じ要素には同じ符号を付して、説明を省略する場合がある。また、図面は、理解しやすくするために、それぞれの構成要素を主体に模式的に示している。
【００１２】
先ず始めに、本発明のアイカップ装着機構および光学機器における各種態様を例示する。
本発明に係る第１の態様のアイカップ装着機構は、カメラ本体に着脱可能なアイカップを装着するためのアイカップ装着機構であって、
前記アイカップは、
アイラバーと、
前記アイラバーを所定位置に保持する固定部材と、
前記固定部材により遊動可能に保持される可動部材と、
前記可動部材を前記固定部材に対して押圧して、前記可動部材を前記固定部材に固定する弾性部材と、を備え、
前記カメラ本体に設けられた装着部材を前記弾性部材の押圧力に抗して前記固定部材と前記可動部材との間に嵌入して、装着部材を前記固定部材と前記可動部材とにより挟着するよう構成されている。
【００１３】
本発明に係る第２の態様のアイカップ装着機構は、前記の第１の態様における前記可動部材が、装着部材を挟着するための可動側係合爪と、前記弾性部材の押圧力を受ける受圧部と、を含み、
前記固定部材が、装着部材を挟着するための固定側係合爪を含み、
前記可動側係合爪と前記固定側係合爪とを対向して配設し、前記弾性部材の押圧力により前記可動側係合爪が前記固定側係合爪の方向に押圧されるよう構成されてもよい。
【００１４】
本発明に係る第３の態様のアイカップ装着機構は、前記の第２の態様において、前記アイカップにおける内側に前記可動側係合爪が設けられ、前記アイカップにおける外側に前記受圧部が設けられてもよい。
【００１５】
本発明に係る第４の態様のアイカップ装着機構は、前記の第２または第３の態様において、前記カメラ本体に設けられた装着部材が、前記可動側係合爪と前記固定側係合爪との間に嵌入可能な装着爪を有してもよい。
【００１６】
本発明に係る第５の態様のアイカップ装着機構は、前記の第２または第３の態様において、前記可動側係合爪および固定側係合爪が硬質樹脂で形成されてもよい。
【００１７】
本発明に係る第６の態様のアイカップ装着機構は、前記の第２から第５の態様のいずれかの態様において、前記装着部材の一部が、前記可動側係合爪と前記固定側係合爪との間に対して直線移動により嵌入されるよう構成されてもよい。
【００１８】
本発明に係る第７の態様のアイカップ装着機構は、前記の第２から第５の態様のいずれかの態様において、前記装着部材の一部が、前記可動側係合爪と前記固定側係合爪との間に対して回動により嵌入されるよう構成されてもよい。
【００１９】
本発明に係る第８の態様のアイカップ装着機構は、前記の第１から第５の態様のいずれかの態様において、前記アイカップが前記カメラ本体に対してバヨネット方式により着脱可能に構成されてもよい。
【００２０】
本発明に係る第９の態様のアイカップ装着機構は、前記の第１から第８の態様のいずれかの態様において、前記弾性部材が、前記アイラバーと一体的に形成されてもよい。
【００２１】
本発明に係る第１０の態様のアイカップ装着機構は、前記の第１から第９の態様のいずれかの態様において、前記固定部材に一体的に構成され、複数の突起を有して前記アイラバーを係止する枠部材を備えてもよい。
【００２２】
本発明に係る第１１の態様の光学機器は、前記の第１から第１０の態様のいずれかの態様のアイカップ装着機構を備えている。
【００２３】
（実施の形態１）
以下、本発明のアイカップ装着機構を備える光学機器に係る実施の形態１について、図面を参照しつつ説明する。図１は、実施の形態１の光学機器であるカメラにおけるファインダー３の近傍を示す斜視図である。図１に示すカメラにおいては、脱着可能なアイカップ２が取り外されたカメラ本体１とアイカップ２とを示している。図１に示すアイカップ２は、カメラ本体１に対して回動させながら装着する、所謂、バヨネット方式により装着する構成である。この装着方法の詳細については後述する。
【００２４】
図２の（ａ）および（ｂ）はアイカップ２を示す斜視図である。図２の（ａ）はアイカップ２を接眼側（アイカップ２の表面側）から主として見た図であり、図２の（ｂ）はアイカップ２をレンズ側（アイカップ２の裏面側）から主として見た図である。図３および図４は、アイカップ２の分解斜視図である。図３はアイカップ２を接眼側から主として見た分解斜視図であり、図４はアイカップ２をレンズ側から主として見た分解斜視図である。
【００２５】
図３および図４に示すように、実施の形態１におけるアイカップ２は、接眼側からアイラバー５、枠部材６、可動部材７、および固定部材８を有している。枠部材６と固定部材８は、接合手段、例えばネジ９により互いに固定されている。可動部材７は、枠部材６と固定部材８との間に配設され、枠部材６と固定部材８とにより遊動可能に保持されている。弾性部材である柔軟なゴム体で形成されたアイラバー５は、リング形状を有しており、その断面がＣ字形状の中空である。アイラバー５は、枠部材６に形成された複数の突起（第１突起６ａ、第２突起６ｂ）により貫通されて固定されている。なお、実施の形態１の構成においては、枠部材６の突起（第１突起６ａ、第２突起６ｂ）によりアイラバー５が貫通される構成で説明するが、枠部材６の突起（凸部）がアイラバー５に形成された凹部と係合して固定する構成でもよい。
【００２６】
図３および図４に示すように、リング形状の枠部材６に形成された複数の突起は、内周面から内側に突設された複数の第１突起６ａと、レンズ側に突設された複数の第２突起６ｂと、を有している。また、図４に示すように、枠部材６にはレンズ側に延びる位置決めピン６ｃが突設されている。この位置決めピン６ｃは、可動部材７および固定部材８の所定位置に形成された貫通孔に挿入されて位置決めに用いられる。
【００２７】
図５は、実施の形態１におけるアイカップ２の断面図であり、アイラバー５が枠部材６の第１突起６ａおよび第２突起６ｂにより貫通されている状態を示す断面図である。図５に示すように、アイラバー５の内周側縁部Ｘに形成された第１孔５ａに第１突起６ａが嵌入されており、アイラバー５の外周側縁部Ｙに形成された第２孔５ｂに第２突起６ｂが嵌入されている。このとき、アイラバー５の内周側縁部Ｘおよび外周側縁部Ｙにおける端部は、枠部材６と可動部材７との間に配置されて、可動部材７を固定部材８に対して押圧している。この結果、可動部材７は、枠部材６と固定部材８との間において、アイラバー５の内周側縁部Ｘおよび外周側縁部Ｙの端部（弾性部材）により押圧されて固定される。
【００２８】
可動部材７は、リング形状を有しており、樹脂材で形成されている。可動部材７は、内周側に形成された可動側係合爪７ａと、外周側に形成された受圧部７ｂと、を含んでいる（図５参照）。可動部材７の可動側係合爪７ａは、アイラバー５における接眼領域の内周面に続く傾斜面を有しており、可動側係合爪７ａの突出端がアイカップ２の内側開口を規定している。また、可動側係合爪７ａの突出端のレンズ側が挟着面７ｃとなっており、レンズ側に向いた平坦面（図５における下側に向いた平面）となっている。この挟着面７ｃが、後述するように、カメラ本体１の装着爪４ａ（図１参照）と係合する構成である。
【００２９】
可動部材７の外周側に形成された受圧部７ｂは、アイラバー５の外周側縁部Ｙにおける端部（押圧部５ｃ）により、レンズ側に向かって、即ち可動部材７が固定部材８に押し付けられるように常に押圧されている。このため、枠部材６と固定部材８との間で遊動可能に配設された可動部材７は、がたつくことがなく所定位置に確実に固定され保持される。
【００３０】
図６から図８は、実施の形態１におけるアイカップ２の断面図であり、切断位置が異なる図である。図６は枠部材６が、接合手段であるネジ９により固定部材８に固定されている領域を示す断面図である。図７および図８は、アイラバー５が枠部材６の突起（第１突起６ａ、第２突起６ｂ）により貫通されていない領域を示す断面図であり、アイラバー５の外周側縁部Ｙにおける端部である押圧部５ｃが可動部材７の受圧部７ｂに対してレンズ方向（図７および図８における下方）に押圧している状態を示している。
【００３１】
図８は、カメラ本体１の装着部材４の装着爪４ａ（図１参照）を挟着できるように、可動部材７の可動側係合爪７ａと固定部材８の固定側係合爪８ａが対向して配置された領域を示す断面図である。図７は、可動部材７の可動側係合爪７ａが固定部材８の固定側係合爪８ａと対向していない領域を示す断面図であり、この領域においてカメラ本体１の装着部材４の装着爪４ａが挿入されて、アイカップ２が回動されて、装着部材４の装着爪４ａが可動部材７の可動側係合爪７ａと固定部材８の固定側係合爪８ａとの間に嵌入して挟着される。
【００３２】
図９は、カメラ本体１の装着部材４にアイカップ２が装着された状態を示す断面図である。アイカップ２が装着されたカメラ本体１には、視度調整のための複数のレンズが設けられている。図９に示すように、カメラ本体１に設けられた装着部材４の装着爪４ａが、アイカップ２における可動部材７の可動側係合爪７ａと固定部材８の固定側係合爪８ａとにより挟着されて、アイカップ２はカメラ本体１に確実に固定される。
【００３３】
アイカップ２のカメラ本体１への装着方法は、アイカップ２の固定部材８において固定側係合爪８ａが形成されていない領域に対して、カメラ本体１における装着部材４の装着爪４ａを挿入して、アイカップ２を回動させ、装着部材４の装着爪４ａを可動部材７の可動側係合爪７ａと固定部材８の固定側係合爪８ａとの間に嵌入させて装着状態としている。アイカップ２のカメラ本体１への装着は、所謂、バヨネット方式により装着する構成である。
【００３４】
実施の形態１のアイカップ装着機構においては、上記のように、所謂、バヨネット方式によりアイカップ２をカメラ本体１の装着部材４に装着する構成を有している。図９に示すように、アイカップ２を回動させることにより、装着部材４の装着爪４ａが可動部材７の可動側係合爪７ａと固定部材８の固定側係合爪８ａとの間に嵌入して、装着爪４ａが可動部材７の可動側係合爪７ａを押し上げていく。このときの装着動作において、装着爪４ａが、可動部材７の可動側係合爪７ａの挟着面７ｃおよび固定部材８の固定側係合爪８ａの挟着面８ｂの両面に接触しつつ移動（摺動）する。このときの装着爪４ａは、アイラバー５の外周側縁部Ｙの押圧力（弾性力）に抗して可動部材７の可動側係合爪７ａを持ち上げるように移動する。このため、図９に示すように、アイカップ２がカメラ本体１の装着部材４に装着されたとき、可動部材７は装着爪４ａにより持ち上げられ、可動部材７の受圧部７ｂが固定部材８から離れ、装着部材４の装着爪４ａが可動部材７の可動側係合爪７ａと固定部材８の固定側係合爪８ａとにより挟着されて確実に装着された状態となる。
【００３５】
実施の形態１のアイカップ装着機構においては、互いに固定された枠部材６と固定部材８との間で遊動可能に保持された可動部材７が、アイラバー５の外周側縁部Ｙ（弾性部材）により、固定部材８に押し付けられる方向の圧力を受ける受圧部７ｂを有している。可動部材７の受圧部７ｂは、アイラバー５の外周側縁部Ｙと固定部材８との間に配置されており、可動部材７における外周側領域に形成されている。
【００３６】
一方、可動部材７における内周側領域には可動側係合爪７ａが形成されている。アイカップ２においては、可動側係合爪７ａがアイラバー５の内周側縁部Ｘより内側に設けられている。したがって、可動部材７においては、外周側領域の受圧部７ｂで常に押圧力を受けて所望の位置に保持されると共に、内周側領域の可動側係合爪７ａで固定部材８の固定側係合爪８ａと協動してカメラ本体１の装着部材４の装着爪４ａを挟着する構成である。可動部材７の可動側係合爪７ａと固定部材８の固定側係合爪８ａとの挟着力は、可動部材７の受圧部７ｂが受けるアイラバー５の外周側縁部Ｙによる押圧力（弾性力）により規定される。この挟着力は、アイカップ２をカメラ本体１に装着するときに使用者が感じる装着感に大きな影響を与える。即ち、装着感は、装着部材４の装着爪４ａに対する、可動部材７の可動側係合爪７ａにおける挟着面７ｃと、固定部材８の固定側係合爪８ａにおける挟着面８ｂとの接触状態（摺動状態、摩擦状態）により決定される。実施の形態１のアイカップ装着機構においては、装着部材４の装着爪４ａ、可動部材７の可動側係合爪７ａ、および固定部材８の固定側係合爪８ａは、装着爪４ａが滑らかに移動できるように硬質の樹脂が用いられており、それぞれの接触面は滑らかに形成されている。
【００３７】
上記のように構成された実施の形態１のアイカップ装着機構は、アイカップ２の装着動作時における動きが滑らかであり、装着状態においてもがたつくことがなく確実で信頼性の高い装着感を有している。また、実施の形態１のアイカップ装着機構は、摺動部分が耐磨耗性の高い材料により形成されており、長年の使用においても経年変化が抑制され、常に高品位の装着状態を保持できる構成を有している。
【００３８】
（実施の形態２）
次に、本発明に係る実施の形態２のアイカップ装着機構を備える光学機器について図１０から図１３を用いて説明する。実施の形態２のアイカップ装着機構を備える光学機器においては、実施の形態１の光学機器との相違点を中心に説明する。なお、実施の形態２の説明において、前述の実施の形態１と同様の作用および機能を有する要素には同じ参照符号を付して、重複する説明を省略する場合がある。
【００３９】
図１０は実施の形態２のアイカップ２を示す図（接眼側の図）であり、図１１はアイカップ２を装着するためにカメラ本体１に設けられた装着部材４を示す図（接眼側の図）である。図１１においては装着部材（ファインダーを含む）のみを示し、カメラ本体１を省略している。実施の形態１ではアイカップ２を回転させて装着するバヨネット方式を用いたが、実施の形態２のアイカップ２は、カメラ本体１の装着部材４に対して直線的に移動（直線移動）して、装着される構成である。実施の形態２の構成においては、アイカップ２を装着部材４に対して上下に移動させて着脱する構成である。
【００４０】
実施の形態２のアイカップ２は、実施の形態１のアイカップ２と同様に、アイラバー５、枠部材６（図１３参照）、可動部材７、および固定部材８により構成されている。図１０に示すように、実施の形態２におけるアイカップ２は下方が開放した逆Ｕ字形状を有しており、逆Ｕ字形状のアイラバー５が逆Ｕ字形状の固定部材８に固定された構成である。アイラバー５の固定部材８に対する固定としては、実施の形態１における固定と同様に、固定部材８に固定された枠部材６の突起（第１突起６ａ、第２突起６ｂ：図３および図４参照）によりアイラバー５が貫通されて固定されてもよく、または凹凸による係合により固定されてもよい。
【００４１】
実施の形態２のアイカップ装着機構において、実施の形態１のアイカップ装着機構と同様に、可動部材７は、枠部材６と固定部材８との間に配設され、枠部材６と固定部材８とにより遊動可能に保持されている。また、アイラバー５における外周側縁部（弾性部材）Ｙが、枠部材６と可動部材７との間に配置されて、可動部材７を固定部材８に対して押圧している。この結果、枠部材６と固定部材８との間において、可動部材７がアイラバー５の外周側縁部Ｙにより押圧されて確実に固定される。
【００４２】
実施の形態２におけるアイカップ装着機構においては、装着部材４にはその外周部分の上側に所定の厚みを有する装着縁４ｂが形成されている（図１１参照）。この装着縁４ｂが可動部材７の可動側係合爪７ａと、固定部材８の固定側係合爪８ａとにより挟着される構成である。可動部材７はその下方が開放した逆Ｕ字形状を有しており、この可動部材７が装着部材４の逆Ｕ字形状を有する嵌合部４ｃに嵌め込まれる。このとき、固定部材８に形成された係合突起８ｃが、装着部材４の嵌合部４ｃに形成された係合凹部４ｄに係合して、アイカップ２のカメラ本体１への装着が完了する。
【００４３】
なお、実施の形態２のアイカップ装着機構においては、固定部材８の内側に突出する係合突起８ｃを形成し、嵌合部４ｃの外周に係合凹部４ｄを形成した例で説明するが、本発明はこのような構成に特定されるものではなく、固定部材８と嵌合部４ｃとが確実に係合して、アイカップ２がカメラ本体１への装着完了が保持できる構成であればよい。また、実施の形態２のアイカップ装着機構において、装着部材４の装着爪４ａ、可動部材７の可動側係合爪７ａ、および固定部材８の固定側係合爪８ａは、実施の形態１と同様に、滑らかに移動できるように硬質の樹脂が用いられており、それぞれの接触面は滑らかに形成されている。
【００４４】
図１２は、実施の形態２におけるアイカップ２がカメラ本体１の装着部材４に装着された状態を示す図（接眼側の図）である。図１３は、図１２に示したカメラ本体１に装着したアイカップ２をXIII−XIII線により切断した断面図である。
【００４５】
実施の形態２における可動部材７は、その上側半分が略円弧形状を有し、樹脂材で形成されている。この可動部材７は、内周側に突出するように形成された可動側係合爪７ａと、外周側に形成された受圧部７ｂと、を含んでいる。可動部材７の可動側係合爪７ａは、図１３に示すように、アイラバー５における接眼領域の内周面に続く傾斜面を有しており、可動側係合爪７ａの突出端がアイカップ２の内側開口を規定している。また、可動側係合爪７ａの突出端（挟着面７ｃ）は、レンズ側に向いた平坦面に形成されており、カメラ本体１の装着部材４の装着爪４ａ（図１３参照）と係合する構成である。
【００４６】
実施の形態２のアイカップ２においては、カメラ本体１の装着部材４の装着爪４ａを可動部材７の可動側係合爪７ａと、固定部材８の固定側係合爪８ａとにより挟んだ状態で直線的に下方に移動（直線移動）させて、アイカップ２がカメラ本体１に装着される構成である。図１３に示すように、アイカップ２がカメラ本体１に装着された状態においては、カメラ本体１の装着部材４の装着爪４ａが、可動部材７の可動側係合爪７ａと、固定部材８の固定側係合爪８ａとにより挟着され、前述のように固定部材８の係合突起８ｃが、装着部材４の嵌合部４ｃの係合凹部４ｄと係合して、アイカップ２はカメラ本体１に確実に固定され装着される。
【００４７】
上記のように構成された実施の形態２のアイカップ装着機構は、アイカップ２の装着動作時における動きが滑らかであり、装着状態においてもがたつくことがなく、確実で信頼性の高い優れた装着感を有している。また、実施の形態２のアイカップ装着機構は、摺動部分が耐磨耗性の高い材料により形成されており、長年の使用においても経年変化が抑制され、常に高品位の装着状態を保持できる構成を有している。
【００４８】
なお、実施の形態１および実施の形態２のアイカップ装着機構においては、アイラバー５の外周側縁部Ｙが可動部材７の受圧部７ｂを押圧する構成で説明したが、本発明はこのような構成に限定されるものではなく、例えば、アイラバーとは別体の弾性部材により可動部材７の受圧部７ｂを押圧する構成としてもよい。本発明のアイカップ装着機構においては、固定部材に遊動可能に保持された可動部材が、その内周側で固定部材と共にカメラ本体の装着部材の一部と摺動して挟着し、その外周側で弾性部材の押圧により固定部材に固定される構成である。このため、本発明のアイカップ装着機構においては、装着時における装着操作を容易なものとし、がたつくことなく確実な装着状態となり、信頼性が高く高品位を有する光学機器を提供することができる。
【００４９】
また、実施の形態１および実施の形態２のアイカップ装着機構においては、枠部材６が固定部材８にネジにより固定する構成で説明したが、本発明としては、このような構成に限定されるものではなく、枠部材６が熱溶着により固定部材８に固定される構成又は枠部材６が固定部材８と一体的に構成され、固定部材８が枠部材６を含む構成としてもよい。
【００５０】
以上のように、本発明のアイカップ装着機構は、光学機器に対する装着が容易であり、且つ装着動作が滑らかであると共に、長年の使用においても経年変化を抑制できる構成となる。また、本発明のアイカップ装着機構は、高品位の装着状態を確実に保持できる信頼性の高い光学機器を提供することができる。したがって、本発明のアイカップ装着機構を備えた光学機器は、信頼性が高く、高品位で優れた精密機械となる。
【００５１】
本発明をある程度の詳細さをもって各実施の形態において説明したが、これらの実施の形態の開示内容は構成の細部において変化してしかるべきものであり、各実施の形態における要素の置換、組合せ、および順序の変更は請求された本発明の範囲及び思想を逸脱することなく実現し得るものである。
【産業上の利用可能性】
【００５２】
本発明のアイカップ装着機構は、各種光学機械における接眼部分に用いて、光学器械における信頼性を高める構成であり、汎用性の高い機構である。
【符号の説明】
【００５３】
１  カメラ本体
２  アイカップ
３  ファインダー
４  装着部材
４ａ  装着爪
５  アイラバー
５ａ  第１孔
５ｂ  第２孔
５ｃ  押圧部
６  枠部材
６ａ  第１突起
６ｂ  第２突起
６ｃ  位置決めピン
７  可動部材
７ａ  可動側係合爪
７ｂ  受圧部
７ｃ  挟着面
８  固定部材
８ａ  固定側係合爪
８ｂ  挟着面
９  ネジ
Ｘ  内周側縁部
Ｙ  外周側縁部
【図１】
2020100327.tif 000003
【図２】
2020100327.tif 000004
【図３】
2020100327.tif 000005
【図４】
2020100327.tif 000006
【図５】
2020100327.tif 000007
【図６】
2020100327.tif 000008
【図７】
2020100327.tif 000009
【図８】
2020100327.tif 000010
【図９】
2020100327.tif 000011
【図１０】
2020100327.tif 000012
【図１１】
2020100327.tif 000013
【図１２】
2020100327.tif 000014
【図１３】
2020100327.tif 000015
【国際調査報告】
2020100327.tif 000016
2020100327.tif 000017